(57)【特許請求の範囲】
【請求項１】
ボトム衣類であって、
ボトム本体部と、少なくとも臀溝部を含む領域を覆う補整部材とを含み、
前記ボトム本体部は、臀部を覆う後部分と、前記後部分に向かい合う前部分とで構成され、
前記補整部材は、両端部、上辺および下辺を有する布部材であって、
前記布部材は、前記後部分の表側に配置され、
前記両端部は、それぞれ、前記ボトム本体部の両側部に固定されており、
前記下辺の中央部は、前記ボトム本体部の前部分側に固定されており、
前記上辺及び前記下辺は、前記下辺の中央部を除き、前記ボトム本体部から分離されていることを特徴とする、ボトム衣類。
【請求項２】
前記布部材の両端部が、前記ボトム本体部において、左右両側のヒップトップ点よりも側部側に固定されていることを特徴とする、請求項１記載のボトム衣類。
【請求項３】
前記前部分は、クロッチ部を含み、
前記補整部材の下辺中央部は、前記クロッチ部に固定されていることを特徴とする、請求項１または２に記載のボトム衣類。
【請求項４】
前記補整部材の下辺中央部が、前記ボトム本体部の前部分の下部略中央部に取り付けられていることを特徴とする、請求項１から３のいずれか一項に記載のボトム衣類。
【請求項５】
前記補整部材が、前記ボトム本体部の後部分中央において、左右両側のヒップトップ点を結んだラインよりも下に配置されていることを特徴とする、請求項１から４のいずれか一項に記載のボトム衣類。
【請求項６】
前記補整部材が、さらに、大腿上部を覆う部分を有することを特徴とする、請求項１から５のいずれか一項に記載のボトム衣類。
【請求項７】
衣類がショーツであることを特徴とする、請求項１から６のいずれか一項に記載のボトム衣類。
【発明の詳細な説明】
【技術分野】
【０００１】
本発明は、ボトム衣類に関する。
【背景技術】
【０００２】
従来のヒップアップ効果を有するショーツおよびガードル等のボトム衣類では、動いているうちに裾から臀部がはみ出し、裾部分がずれ上がって臀部へ食い込み、段差が生じやすかった。そのため、着用時に違和感があり、かつ、前記段差が、アウターを通して外観できる状態（アウターにひびく状態）となっていた。そこで、ボトム衣類において、例えば、ウエスト布から股部へと垂下する前面中央布と、左右両側に傾斜させるヒップ支持布とをＹ字に連結させ、前記ヒップ支持布に、臀溝に沿わせて芯材を取り付けることにより、挙動時において、臀溝の動きに対してヒップ支持布が伸縮して追従して動き、芯材も、臀溝の皮膚とともに移動し、臀部のはみ出し、食い込みによる段差を防止する技術が提案されている（例えば、特許文献１参照）。
【先行技術文献】
【特許文献】
【０００３】
【特許文献１】特開２００５−１１３２８５号公報
【発明の概要】
【発明が解決しようとする課題】
【０００４】
しかし、前記技術によっても、ずれ上がりや食い込みの防止は十分とは言えず、着用者の動作や姿勢の変化が大きい場合等には、これらを防ぐことができなかった。そして、ずれ上がりや食い込みは気になるものではあるが、身体の動きにともなってこれらが生じることは仕方がないことであるとの認識が持たれていた。
【０００５】
そこで、本発明は、ずれ上がりを防ぎ、かつ、ヒップアップ効果を有するボトム衣類を提供することを目的とする。
【課題を解決するための手段】
【０００６】
前記目的を達成するために、本発明のボトム衣類は、
ボトム衣類であって、
ボトム本体部と、少なくとも臀溝部を含む領域を覆う補整部材とを含み、
前記ボトム本体部は、臀部を覆う後部分と、前記後部分に向かい合う前部分とで構成され、
前記補整部材は、両端部、上辺および下辺を有する布部材であって、
前記布部材は、前記後部分の表側に配置され、
前記両端部は、それぞれ、前記ボトム本体部の両側部に固定されており、
前記下辺の中央部は、前記ボトム本体部の前部分側に固定されていることを特徴とする。
【０００７】
また、本発明のボトム衣類は、
ボトム衣類であって、
ボトム本体部と、少なくとも臀溝部を含む領域を覆う補整部材とを含み、
前記ボトム本体部は、臀部を覆う後部分と、前記後部分に向かい合う前部分とで構成され、
前記補整部材は、クロッチ部を有する筒状布部材であって、
前記筒状布部材は、前記ボトム本体部の下辺部分を少なくとも覆うように配置され、
前記筒状布部材は、前記クロッチ部近傍が前記ボトム本体部の前部分側に固定されていることを特徴とする。
【発明の効果】
【０００８】
本発明によれば、前記補整部材が着用時の体の動きに追随するため、裾部分のずれ上がりを防止することができる。また、本発明によれば、前記本体部と前記補整部材とで、二重に臀溝付近を押さえるため、高いヒップアップ効果を得ることができる。
【０００９】
本発明者は、ショーツ等のずれ上がりの原因を解明するため、鋭意研究を行った。その結果、臀裂近傍の臀溝周辺の皮膚が、非常に伸びやすいことが判明した。そして、ずれ上がりの原因は、ショーツ等の裾部分が、着用者の動作や姿勢変化にともなう前記臀裂近傍の臀溝周辺の皮膚の伸縮に十分に追随できないことにあることがわかった。図１３は、臀部の皮膚の伸び率を測定した図である。図１３の上側左図は、測定時における静止状態（直立）を示す図であり、上側右図は、右脚を上げた状態を示す図である。図１３において、上側の臀部の図に表した格子状のラインと、表のラインとは対応しており、表中の数字は、直立状態に対する右脚を上げた状態の皮膚の伸び率を表している。図１３に示すように、太線で示した臀裂近傍の臀溝周辺の皮膚の伸び率は著しく大きく、縦は１３６％、横は１４８％伸びている。一方、臀裂および臀溝から離れた部分は、縦は１２０％程度、横は１０５％程度であり、伸び率はそれほど大きくない。そこで、本発明者は、臀溝部付近を覆う補整部材をボトム衣類に設け、前記補整部材を本体部の布地と分離することで、皮膚の伸縮率の大きい部分に前記補整部材を追随させることができ、裾のずれ上がりを効果的に防止できることを確認し、本発明を完成するに至った。
【図面の簡単な説明】
【００１０】
【図１】図１は、本発明のボトム衣類の一例である、第１の実施形態に係るショーツの図である。（ａ）は正面図、（ｂ）は背面斜視図である。
【図２】図２は、前記第１の実施形態に係るショーツを、下から見た図である。
【図３】図３は、前記第１の実施形態における本体部の後部分および補整部材の図である。
【図４】図４は、前記第１の実施形態に係るショーツの両側部を示す図である。
【図５】図５（ａ）は、前屈時の臀溝周辺の皮膚の動きを示す図、図５（ｂ）は、前屈時の前記第１の実施形態における補整部材の動きを示す図である。
【図６】図６（ａ）は、片脚上げ時の臀溝周辺の皮膚の動きを示す図、図６（ｂ）は、片脚上げ時の前記第１の実施形態における補整部材の動きを示す図である。
【図７】図７は、前記第１の実施形態の変形例を示す図である。（ａ）は、正面図、（ｂ）は、背面斜視図である。
【図８】図８は、本発明のボトム衣類の一例である、第２の実施形態に係るショーツを示す図である。（ａ）は背面図、（ｂ）は正面図、（ｃ）は、補整部材（筒状布部材）の固定状態の説明図である。
【図９】図９は、本発明のボトム衣類の一例である、第３の実施形態に係るショーツを示す図である。（ａ）は背面図、（ｂ）は正面図である。
【図１０】図１０は、本発明のボトム衣類の一例である、第４の実施形態に係るショーツの背面図である。
【図１１】図１１は、本発明のボトム衣類の一例である、第５の実施形態に係るショーツの背面図である。
【図１２】図１２は、着用評価における臀部の状態を示す図である。（ａ）は、補整部材を本体部に固定したショーツ着用時の図、（ｂ）は、本発明のショーツ着用時の図である。
【図１３】図１３は、臀部の皮膚の伸び率を測定した図である。
【発明を実施するための形態】
【００１１】
本発明のボトム衣類について、例をあげて説明する。ただし、本発明は、以下の例に限定および制限されない。
【００１２】
（第１の実施形態）
図１から図４に、本発明のボトム衣類の第１の実施形態に係るショーツ１００を示す。図１（ａ）は、ショーツ１００の正面図、図１（ｂ）は、ショーツ１００の背面斜視図、図２は、ショーツ１００を下から見た図、図３は、補整部材１０２の両端部Ｌ１およびＬ２、ならびに本体部１０１の両側部Ｑ１およびＱ２を示す図、図４は、ショーツ１００の両側部を示す図である。
【００１３】
図１に示すように、本実施形態のショーツ１００は、臀部を覆う後部分１０１Ｂと、後部分１０１Ｂに向かい合う前部分１０１Ａとで構成されるボトム本体部（以下、「本体部」ともいう）１０１と、臀溝部を含む領域を覆う補整部材１０２とを含む。本実施形態において、本体部１０１は、ショートタイプのショーツである。補整部材１０２は、両端部Ｌ１およびＬ２、上辺、ならびに下辺を有する布部材である。補整部材１０２（布部材）は、後部分１０１Ｂの表側に配置され、本体部１０１の後ろ側の裾周りを形成している。本実施形態のショーツ１００は、クロッチ部１０３を有している。
【００１４】
本実施形態において、補整部材１０２の両端部Ｌ１およびＬ２は、それぞれ、本体部１０１の両側部に固定されている。図３は、補整部材１０２の両端部Ｌ１およびＬ２、ならびに本体部１０１を背面側から見た場合における本体部１０１の両側部Ｑ１およびＱ２を示す図である。補整部材１０２の一端Ｌ１は、本体部の一方の側部Ｑ１に、補整部材１０２の他端Ｌ２は、本体部の他方の側部Ｑ２に、それぞれ固定されている。また、図２に示すように、補整部材１０２の下辺の中央部Ｔ１は、本体部１０１の前部分１０１Ａに固定されている。図２において、二点鎖線で示す基準線は、図１（ａ）に示す下辺部分に相当する位置を示すものである。すなわち、上記基準線は、ショーツ１００を平置き状態にしたときの折り返し部分を示すものである。本実施形態において、補整部材１０２のＬ１、Ｌ２およびＴ１以外の部分は、本体部１０１と分離しているため、補整部材１０２は、後述するように、本体部１０１に対して上下左右にスライドし、臀裂近傍の臀溝周辺の皮膚の伸縮に追随することができる。なお、本実施形態では、補整部材１０２の下辺中央部を縫着する例として、下辺の中央に位置するＴ１を本体部１０１に縫着する例を挙げて説明している。しかし、本発明は、これに限定されるものではない。例えば、商品の仕様等に応じて、Ｔ１から前記二点鎖線で示す位置周辺までの領域で補整部材１０２を本体部１０１に縫着するようにしてもよい。
【００１５】
図５（ａ）は、前屈時の臀溝周辺の皮膚の動き、図５（ｂ）は、前屈時の補整部材１０２の動きを示す。前屈時には、臀溝周辺の皮膚は、図５（ａ）中の矢印方向に著しく伸びる。本実施形態の補整部材１０２は、両端部Ｌ１およびＬ２、下辺の中央部Ｔ１以外は本体部１０１に固定されず分離しているため、本体部１０１の動きとは関係なく、皮膚の動きに追随できる。そのため、補整部材１０２は、図５（ｂ）中に白抜き矢印で示す方向に、本体部１０１に対してスライドする。これにより、補整部材１０２が本体部１０１とともにずれ上がるのを防止することができる。次に、図６（ａ）は、片脚（右脚）上げ時の臀溝周辺の皮膚の動き、図６（ｂ）は、片脚上げ時の補整部材１０２の動きを示す。片脚上げ時には、臀溝周辺の皮膚は、図６（ａ）中の矢印で示すように、脚を上げた方向に伸びるとともに、臀部縦方向にも伸びる。この皮膚の動きに追随し、補整部材１０２は、図６（ｂ）中に白抜き矢印で示すように、脚を上げた側の臀部方向にスライドする。このとき、補整部材１０２は、後中心線（臀裂に沿うライン）近傍において下辺の中央部Ｔ１を除いて本体部１０１と固定されていないため、脚を上げていない方の臀部側から全体的にスライドすることができ、皮膚の大きな動きにしっかりと追随することが可能である。
【００１６】
前述のように、本実施形態において、補整部材１０２の下辺の中央部Ｔ１は、本体部１０１の前部分１０１Ａに固定されている。これにより、後部分１０１Ｂに固定されている場合と比較して、補整部材１０２の動きの幅を大きくすることができるため、好ましい。前部分１０１Ａにおいて、補整部材１０２の下辺の中央部Ｔ１が固定される箇所は、特に限定されないが、前部分１０１Ａの下部の略中央部に取り付けられるのが、着用時に補整部材１０２が股部分で大きく動き、違和感が生じるのを防ぐことができるため、好ましい。
【００１７】
図１および図２に示すように、本実施形態のショーツ１００は、クロッチ部１０３を有するが、本発明はこれに限られず、クロッチ部を有さないものであってもよい。クロッチ部とは、股部分に該当する部材をいう。クロッチ部１０３を有する場合、補整部材１０２の下辺の中央部Ｔ１は、クロッチ部１０３内の前側寄りに固定されるのが好ましい。
【００１８】
本実施形態において、補整部材（布部材）１０２の両端部Ｌ１およびＬ２は、本体部１０１のＱ１およびＱ２で固定されているが、本発明において、両側部とは、本体部の前後の側部の境界線付近に限られず、図４中の矢印で示すような、本体部の後部分１０１Ｂから前部分１０１Ａに回り込んだ領域をいう。補整部材１０２の両端部は、本体部左右両側のヒップトップ点Ｐよりも側部側で固定されていることが好ましい。補整部材１０２が、ヒップトップ点Ｐよりも側部側で本体部１０１に固定されると、補整部材１０２が本体部１０１に対して相対的に変位可能な範囲が大きくなり、皮膚の伸縮に十分に追随可能である。
【００１９】
本実施形態において、補整部材１０２はレース部材であることが好ましいが、本発明はこれに限定されない。補整部材１０２は、本体部１０１よりも難伸縮の素材で構成されることが好ましい。補整部材１０２としては、例えば、ストレッチレース、フリーカット素材、その他の生地端始末不要なヘム素材、抜蝕加工を施した生地、丸編地等を用いてもよい。また、下辺側が上辺側よりも低伸度となるように伸度切替を行った生地等を用いてもよい。なお、本体部１０１と同じ素材を用いることもできる。
【００２０】
補整部材１０２は、本体部１０１の後部分１０１Ｂ中央において、左右両側のヒップトップ点Ｐを結んだラインよりも下に配置されるのが好ましい。本実施形態では、本体部１０１の後部分１０１Ｂ中央において、補整部材１０２の上辺の中央部Ｔ２が、左右両側のヒップトップ点Ｐを結んだラインよりも下に配置されている。これにより、補整部材１０２が、本体部１０１の後ろ側においてもたつかず、スムーズに変位することができる。本実施形態において、補整部材１０２の両端部Ｌ１およびＬ２の上辺は、ヒップトップ点Ｐを結んだラインよりも上で本体部１０１の両側部Ｑ１およびＱ２に固定されており、補整部材１０２は、略Ｖ字形状である。これにより、補整部材１０２によって、臀部を左右側部側から斜め上方向に押し上げることができるので、高いヒップアップ効果を得ることができるため、好ましい。
【００２１】
補整部材１０２は、略Ｖ字形状ではなく、略水平状に設けられていてもよい。この場合は、補整部材１０２を略Ｖ字形状に設ける場合に比べ、ヒップアップ効果は高くないが、十分なずれ上がり防止効果を得ることができる。
【００２２】
図７に、前記第１の実施形態の変形例を示す。図７（ａ）は、正面図、図７（ｂ）は、背面斜視図である。図７（ａ）（ｂ）において、図１（ａ）（ｂ）と同一部分には、同一の符号を付している。図７（ａ）に示すとおり、本例では、補整部材１０２の両端部Ｌ１およびＬ２は、前部分１０１Ａ側に回り込んだ位置で、本体部１０１に固定されている。また、本例において、補整部材１０２は、図７（ａ）に示すＬ３およびＬ４においても、本体部１０１と固定されていてもよい。その他は、第１の実施形態と同様である。このように、実現したい着用感、デザインに応じて、補整部材１０２の固定位置を適宜調整することが可能である。
【００２３】
（第２の実施形態）
図８に、本発明のボトム衣類の第２の実施形態に係るショーツ２００を示す。図８（ａ）は、ショーツ２００の背面図、図８（ｂ）は、ショーツ２００の正面図である。図８（ｃ）は、補整部材（筒状布部材）２０２Ａの固定状態を説明する図であり、ボトム衣類の下方向（着用時の大腿部側）から見た図である。
【００２４】
図８に示すように、本実施形態における本体部２０１は、前部分２０１Ａおよび後部分２０１Ｂと、クロッチ部２０１Ｃとで構成される、第１の実施形態と同様のショートタイプのショーツである。本実施形態において、補整部材２０２は、クロッチ部２０２Ｃを有する筒状布部材２０２Ａであり、本体部２０１の下辺側部分を覆うように配置されている。さらに、本実施形態において、補整部材２０２は、大腿上部を覆う部分２０２Ｂを有する。筒状布部材２０２Ａと大腿上部を覆う部分２０２Ｂとは、別部材で形成され、互いに固着されてもよいし、一体に形成されてもよい。なお、本実施形態において、筒状布部材は大腿上部を覆う部分を設けないように形成するものとしてもよい。
【００２５】
本実施形態における補整部材２０２において、図８（ｃ）に示すように、筒状布部材２０２Ａのクロッチ部２０２Ｃは、接合部Ｓ１を介してクロッチ部２０１Ｃの前側端部と縫着または接着等によって連結されている。本実施形態では、ショーツ２００はクロッチ部２０１Ｃを有し、クロッチ部２０１Ｃは接合部Ｓ１を介して、筒状布部材２０２Ａのクロッチ部２０２Ｃの前側の縁部に固定されているが、本発明はこれに限られず、ショーツ２００はクロッチ部２０１Ｃを有さなくてもよい。この場合には、筒状布部材２０２Ａのクロッチ部２０２Ｃを、ショーツ２００の前部分２０１Ａに連結するようにすることが好ましい。なお、本実施形態において、補整部材２０２は、本体部２０１の両側部には固定されていない。
【００２６】
本実施形態において、補整部材２０２の前側の上辺Ｓ２は、本体部２０１の前部分２０１Ａの上辺に固定されていることが好ましい。これにより、補整部材２０２の前側が垂れ下がり、着用時に着用しにくくなることを防ぐことができる。
【００２７】
本実施形態において、補整部材２０２は、本体部２０１の後ろ側から分離している。このため、補整部材２０２は、本体部２０１に対して上下左右にスライドし、臀裂近傍の臀溝周辺の皮膚の伸縮に追随することができる。また、補整部材２０２が大腿上部までを覆うことにより、より広い面積で臀部を押さえることができるので、ずれ上がりおよび食い込みを効果的に防止することができると同時に、ヒップアップ効果を高めることができる。
【００２８】
（第３の実施形態）
図９に、本発明のボトム衣類の第３の実施形態に係るショーツ３００を示す。図９（ａ）は、ショーツ３００の背面図、図９（ｂ）は、ショーツ３００の正面図である。
【００２９】
図９に示すように、本実施形態における本体部３０１は、前部分３０１Ａおよび後部分３０１Ｂとで構成される、ロングタイプのショーツである。本実施形態では、補整部材３０２は、本体部３０１の後ろ側に配置され、大腿上部を覆う部分を有する。
【００３０】
本実施形態において、補整部材３０２の下辺中央部Ｕ１は、本体部３０１の前部分３０１Ａに固定されている。本実施形態では、ショーツ３００はクロッチ部３０３を有し、前記下辺中央部Ｕ１は、クロッチ部３０３の前側の縁部に固定されているが、本発明はこれに限られず、クロッチ部を有さなくてもよい。本実施形態において、前記大腿上部を覆う部分を含めた補整部材３０２の両端部は、本体部３０１の両側部に固定されている。また、補整部材３０２の大腿上部を覆う部分は、大腿内側部分において、本体部３０１の前部分３０１Ａに固定されていることが、着用時のフィット感の点で、好ましい。その他は、第１の実施形態と同様である。
【００３１】
本実施形態において、補整部材３０２は、本体部３０１の後ろ側から分離している。このため、補整部材３０２は、本体部３０１に対して上下左右にスライドし、臀裂近傍の臀溝周辺の皮膚の伸縮に追随することができる。また、ロングタイプのショーツの場合、裾部分がずれ上がって臀部に食い込むことはないが、動いているうちに、ヒップライン、特に臀溝部のラインにしわが寄るなどして、アウターのシルエットにひびくことがある。本発明では、補整部材３０２が本体部３０１に追随せず、皮膚の伸縮に追随するため、ヒップラインにしわが寄ることなく、アウターにひびくのを防ぐことができる。また、補整部材３０２で臀溝付近を押し上げることによって、ヒップアップ効果を得ることができる。
【００３２】
（第４の実施形態）
図１０に、本発明のボトム衣類の第４の実施形態に係るショーツ４００を示す。図１０は、ショーツ４００の背面図である。
【００３３】
図１０に示すように、本実施形態における本体部４０１は、前部分４０１Ａと後部分４０１Ｂとで構成される、第３の実施形態と同様のロングタイプのショーツである。本実施形態では、補整部材４０２が、両側部から中央部にかけて幅が狭くなり、略Ｘ字状となっている。その他は、第３の実施形態と同様である。このように、補整部材は、ロングタイプのショーツの場合でも、本体部の後側全部を覆う必要はなく、臀溝部分を覆うように配置されていれば、ヒップラインを整え、さらにヒップアップ効果を得ることができる。
【００３４】
（第５の実施形態）
図１１に、本発明のボトム衣類の第５の実施形態に係るショーツ５００を示す。図１１は、ショーツ５００の背面図である。本実施形態における本体部５０１は、前部分５０１Ａと後部分５０１Ｂとで構成される、いわゆるビキニタイプのショーツである。
【００３５】
ビキニタイプのショーツの場合、後ろ側の裾部分が臀溝よりも上にある。図１１において二点鎖線で示すラインは、通常のショートタイプのショーツのラインである。このように、ショーツ本体の裾部分が臀溝よりも上にある場合でも、補整部材５０２を、本体部５０１の裾部分を覆うように設けることによって、ずれ上がりおよび食い込みを防止することができる。また、補整部材５０２によって、ヒップライン、特に臀溝部のラインがアウターにそのままひびくのを防ぐことができる。
【００３６】
（第１の実施形態のショーツの着用評価）
図１２は、着用評価における臀部の状態を示す図である。（ａ）は、補整部材１０２を本体部に固定したショーツ（一体型）着用時、（ｂ）は、本発明の第１の実施形態のショーツ着用時の図であり、それぞれ、上側は前屈時、下側は前屈後立位時の図である。図示のように、前屈時には、一体型では、補整部材の下辺部が本体部とともに矢印の方向にずれ上がっているのに対し、本発明のショーツでは、補整部材のずれ上がりが少ない。また、前屈後立位時には、一体型では、前屈によってずれ上がった裾部分が臀部に食い込み、段差が生じている。これに対し、本発明のショーツは、一体型と比較して、裾部分がずれ上がっていない。（ｂ）の下側の図において、破線で示すラインは、同図左側に示した一体型の補整部材の上辺と同じ位置を表す。このように、補整部材がずれ上がらず、裾部分がずれ上がっていないため、本発明のショーツでは、臀部に段差が生じていない。
【００３７】
以上、実施の形態の具体例として、ショーツをあげて本発明を説明したが、本発明のボトム衣類は、これらの具体例で記載されたもののみに限定されるものではなく、ガードル、ボディースーツ、水着、レオタード、その他各種のボトム部を有する衣類に適用できる。
【産業上の利用可能性】
【００３８】
本発明のボトム衣類は、種々の態様が可能である。例えば、上記の実施形態のようなファンデーション衣類以外にも、スポーツ衣類、アウターなど、各種のボトム部を有する衣類に適用できる。
【符号の説明】
【００３９】
１００、２００、３００、４００、５００  ショーツ
１０１、２０１、３０１、４０１、５０１  本体部
１０１Ａ、２０１Ａ，３０１Ａ、４０１Ａ、５０１Ａ  本体部の前部分
１０１Ｂ、２０１Ｂ、３０１Ｂ、４０１Ｂ、５０１Ｂ  本体部の後部分
１０２、２０２、３０２、４０２、５０２  補整部材
２０２Ａ  筒状布部材（補整部材）
２０２Ｂ  大腿上部を覆う部分（補整部材）
１０３、２０１Ｃ、３０３  クロッチ部（本体部）
２０２Ｃ  クロッチ部（補整部材）
Ｐ    ヒップトップ点
Ｌ１、Ｌ２  補整部材の両端部
Ｌ３、Ｌ４  補整部材と本体部との固定位置
Ｑ１、Ｑ２  本体部の両側部
Ｓ１  接合部
Ｓ２  補整部材の前側の上辺
Ｔ１、Ｕ１  補整部材の下辺の中央部
Ｔ２  補整部材の上辺の中央部
【図１】
0005874352.tif 000002
【図２】
0005874352.tif 000003
【図３】
0005874352.tif 000004
【図４】
0005874352.tif 000005
【図５】
0005874352.tif 000006
【図６】
0005874352.tif 000007
【図７】
0005874352.tif 000008
【図８】
0005874352.tif 000009
【図９】
0005874352.tif 000010
【図１０】
0005874352.tif 000011
【図１１】
0005874352.tif 000012
【図１２】
0005874352.tif 000013
【図１３】
0005874352.tif 000014